(57)【要約】【課題】オートフォーカス（自動合焦）終了後のマニュアルフォーカス（手動合焦）動作（ダイレクトマニュアルフォーカス動作）において、被写界深度に応じた撮影効果を簡易に確認することが可能な技術を提供する。【解決手段】デジタルカメラ１は、自動合焦制御による焦点位置の調整後（ステップＳＰ１）に、手動操作に応じて撮影レンズのレンズ位置を移動させて焦点位置をさらに調整する手動合焦動作（ステップＳＰ１４，ＳＰ１５）を行うに際して、自動合焦制御後に絞りを撮影用の設定値に設定し（ステップＳＰ１１）、その状態で取得された画像を表示する（ステップＳＰ１６）。【選択図】図５
2005184657.tif 000002
【特許請求の範囲】
【請求項１】
撮像装置であって、
撮影レンズと、
前記撮影レンズを介して被写体の画像を撮像する撮像手段と、
所定の合焦用評価基準に従って前記被写体が合焦状態になるように前記撮影レンズの焦点位置を調整する自動合焦制御手段と、
前記自動合焦制御手段による前記焦点位置の調整後に、操作者による手動操作に応じて前記撮影レンズのレンズ位置を移動させて前記焦点位置をさらに調整する手動合焦動作を行う手動合焦制御手段と、
前記撮影レンズの絞りを調整する絞り調整手段であって、前記自動合焦制御手段による前記焦点位置の調整後においては前記絞りを撮影用の設定値に設定する第１モードによって絞り調整を行う絞り調整手段と、
前記自動合焦制御手段による前記焦点位置の調整後に、前記絞りを前記設定値に設定した状態で前記撮像手段により取得された画像を表示する表示手段と、
を備えることを特徴とする撮像装置。
【請求項２】
請求項１に記載の撮像装置において、
前記絞り調整手段は、前記設定値に設定された前記絞りを、前記手動合焦動作中における前記絞りの変更操作に応答して、前記設定値とは異なる値に再設定することを特徴とする撮像装置。
【請求項３】
請求項１または請求項２に記載の撮像装置において、
前記絞り調整手段は、前記第１モードと、前記自動合焦制御手段による前記焦点位置の調整後に前記絞りを開放値に設定する第２モードと、を含む複数のモードの中から選択されたモードで絞り調整を行うことを特徴とする撮像装置。
【発明の詳細な説明】
【技術分野】
【０００１】
本発明は、撮像装置に関し、特にマニュアルフォーカスモードにおけるプレビュー動作に関する。
【背景技術】
【０００２】
銀塩フィルムを用いた一眼レフカメラでは、光学系を介して得られる被写体像を光学ファインダを用いて確認することが行われる。このようなカメラでは、シャッタボタンを押下する前のプレビュー時点においては撮影レンズの絞りを開放して被写体像の明るさを確保し、シャッタボタンが押下されると絞りを設定値に絞り込んだ状態にして露光動作を行って撮影画像を得ることが行われる。
【０００３】
ただし、このままでは、絞りの設定値（撮影時の絞り値）による被写界深度に応じた撮影効果（ぼけ具合等）を、プレビュー時点で確認することができない。
【０００４】
そこで、プレビュー時においても所定のボタンが押下されたときには、そのボタンの押下に応じて絞りを設定値に変更し、その設定値での絞りによる撮影効果をプレビュー表示させて、その被写体像を確認可能にするものが存在する。
【０００５】
また、特許文献１においては、オートフォーカス（ＡＦ）モードとマニュアルフォーカス（ＭＦ）モードとを切替可能な、電子ファインダ付きのカメラが開示されている。
【０００６】
このカメラは、マニュアルフォーカスを行うときには、絞りを開放した状態でＣＣＤによって取得された画像をＬＣＤにプレビュー表示する。
【０００７】
そして、マニュアルフォーカス時において、所定のボタン（絞り制御ボタン）が押下されると、この押下に応答して、絞り値が設定値に変更され、絞り変更後にＣＣＤで取得された画像がＬＣＤにプレビュー表示される。これによれば、操作者が実際の被写界深度に応じた撮影効果を確認することができる。
【０００８】
【特許文献１】特開平１１−１１９２９４号公報
【発明の開示】
【発明が解決しようとする課題】
【０００９】
ところで、オートフォーカス制御においては、遠近競合等のために所望の被写体が合焦状態になっていない場合がある。このような事態を解消するため、オートフォーカス動作（自動合焦制御）の直後にマニュアルフォーカス動作（手動合焦動作）を行うダイレクトマニュアルフォーカス（以下、単にＤＭＦとも称する）が行われることがある。このようなダイレクトマニュアルフォーカスによれば、オートフォーカス制御によって被写体を合焦状態にした後、さらに手動操作によって合焦状態を修正することができる。
【００１０】
このダイレクトマニュアルフォーカス動作、より詳細には、オートフォーカス終了後のマニュアルフォーカス動作の時点において、上記のマニュアルフォーカスにおけるプレビュー技術を仮に適用すれば、次のような動作になる。すなわち、原則として絞りを開放した状態でＣＣＤによって取得された画像（ライブビュー画像）がＬＣＤにプレビュー表示（ライブビュー表示）される一方で、操作者がプレビュー時において実際の撮影時の被写界深度に応じた撮影効果を確認したい場合には、所定のボタンを押下することによって、絞り値が設定値に変更された後にＣＣＤで取得された画像がＬＣＤにプレビュー表示されるのである。
【００１１】
しかしながら、このような技術においては、原則として撮影時の絞りの設定値とは異なる絞り値で取得された画像がＬＣＤにライブビュー表示されるため、撮影時の被写界深度に応じた撮影効果を即座に確認することができない。そして、プレビュー時において撮影時の被写界深度に応じた撮影効果を確認したい場合には、その都度、所定のボタンを押下することが必要になり、操作が煩雑であるという問題がある。
【００１２】
そこで、この発明の課題は、ダイレクトマニュアルフォーカス動作、より詳細には、オートフォーカス終了後のマニュアルフォーカス動作において、被写界深度に応じた撮影効果を簡易に確認することが可能な技術を提供することにある。
【課題を解決するための手段】
【００１３】
上記課題を解決すべく、請求項１に記載の発明は、撮像装置であって、撮影レンズと、前記撮影レンズを介して被写体の画像を撮像する撮像手段と、所定の合焦用評価基準に従って前記被写体が合焦状態になるように前記撮影レンズの焦点位置を調整する自動合焦制御手段と、前記自動合焦制御手段による前記焦点位置の調整後に、操作者による手動操作に応じて前記撮影レンズのレンズ位置を移動させて前記焦点位置をさらに調整する手動合焦動作を行う手動合焦制御手段と、前記撮影レンズの絞りを調整する絞り調整手段であって、前記自動合焦制御手段による前記焦点位置の調整後においては前記絞りを撮影用の設定値に設定する第１モードによって絞り調整を行う絞り調整手段と、前記自動合焦制御手段による前記焦点位置の調整後に、前記絞りを前記設定値に設定した状態で前記撮像手段により取得された画像を表示する表示手段と、を備える。
【００１４】
請求項２に記載の発明は、請求項１の発明に係る撮像装置において、前記絞り調整手段は、前記設定値に設定された前記絞りを、前記手動合焦動作中における前記絞りの変更操作に応答して、前記設定値とは異なる値に再設定する。
【００１５】
請求項３に記載の発明は、請求項１または請求項２の発明に係る撮像装置において、前記絞り調整手段は、前記第１モードと、前記自動合焦制御手段による前記焦点位置の調整後に前記絞りを開放値に設定する第２モードと、を含む複数のモードの中から選択されたモードで絞り調整を行う。
【発明の効果】
【００１６】
請求項１ないし請求項３に記載の発明によれば、自動合焦制御終了後の手動合焦動作において、本画像被写界深度に応じた撮影効果を簡易に確認することができる。
【００１７】
特に、請求項３に記載の発明によれば、操作者の要求に応じて、絞り調整のモードを選択することができるので、柔軟性が高い。
【発明を実施するための最良の形態】
【００１８】
以下、本発明の実施形態を図面に基づいて説明する。
【００１９】
＜Ａ．構成＞
＜構成概要＞
図１、図２及び図３は、本発明の実施形態に係るデジタルカメラ（より詳細にはデジタルスチルカメラ）１の外観構成を示す図であり、図１は正面図、図２は上面図、図３は背面図に相当する。これらの図は必ずしも三角図法に則っているものではなく、デジタルカメラ１の外観を例示することを主眼としている。
【００２０】
デジタルカメラ１の正面側には撮影レンズ２が設けられる。この撮影レンズ２はズーム機能を有しており、ズームリング２ａを手動操作で回動させることによって撮影倍率の変更を行うことができるように構成される。
【００２１】
撮影レンズ２の外周部（言い換えれば鏡胴部）２ｂには、フォーカスリング８が設けられている。このフォーカスリング８は、鏡胴部２ｂに対して回動自在であり、その回転量は所定のセンサ（図示せず）によって検出される。そして、この回転量に応じて撮影レンズ２のレンズ位置が変更されることによって、手動操作に応じて焦点位置を調整すること、すなわち手動合焦（以下、「マニュアルフォーカス」あるいは単に「ＭＦ」とも称する）動作が可能になる。
【００２２】
また、このデジタルカメラ１においては、撮影レンズ２のレンズ位置（より詳細には光軸方向におけるレンズ位置）を変更して焦点位置を調整する動作、すなわちフォーカス動作として、このようなマニュアルフォーカス動作だけでなく、自動合焦（以下、「オートフォーカス」あるいは単に「ＡＦ」とも称する）動作も行われる。このＡＦ動作は、所定の合焦用評価基準に従って被写体が合焦状態になるように撮影レンズ２の焦点位置を調整する動作である。具体的には、このＡＦ動作は、画像内の合焦状態評価領域に関する合焦用評価値（たとえばコントラスト等）を用いることによって実現される。
【００２３】
さらに、このデジタルカメラ１においては、このオートフォーカス動作の後に引き続いてマニュアルフォーカス動作を行う動作、すなわち、ダイレクトマニュアルフォーカス（以下、ＤＭＦとも称する）動作を行うことが可能である。このＤＭＦ動作については、後に詳述する。
【００２４】
また、デジタルカメラ１の上面にはシャッタボタン（レリーズボタン）９が設けられており、該シャッタボタン９はユーザによる半押し状態（状態Ｓ１とも称する）と全押し状態（状態Ｓ２とも称する）とを区別して検出可能な２段階押し込みスイッチとなっており、自動合焦モードが設定されている場合には半押し状態のときに自動合焦制御を開始し、全押し状態のときに記録用画像を撮影するための本撮影動作を開始する。
【００２５】
また、デジタルカメラ１の上面には、「撮影モード」と「再生モード」と「通信モード」とを切替設定するモード切替ダイアル３が設けられている。撮影モードは被写体の撮影を行って画像データの生成を行うモードであり、撮影モードはさらに静止画像撮影モードと動画像撮影モードとに細分化されている。また、再生モードはメモリカード９０に記録された画像データを、デジタルカメラ１の背面側に設けられた液晶ディスプレイ（ＬＣＤ）５に再生表示するモードである。さらに通信モードはデジタルカメラ１の側面に設けられる外部接続インタフェース３８を介して、外部コンピュータ９１等とのデータ転送を行うモードである。このように、デジタルカメラ１は、画像の撮影機能と画像の再生機能とを有している。
【００２６】
デジタルカメラ１の背面には、本撮影動作前のプレビュー用の表示（すなわち、ライブビュー表示）及び記録画像の再生表示等を行うための液晶ディスプレイ５（以下、ＬＣＤとも称する）と、電子ビューファインダ（以下、ＥＶＦとも称する。）４とが設けられている。これらのＬＣＤ５及びＥＶＦ４では、それぞれカラー画像の表示が行われる。なお、ＬＣＤ５およびＥＶＦ４の両表示部は、いずれも、電子式のファインダであるとも表現できる。
【００２７】
ＬＣＤ５は、液晶および光源を用いて構成される表示部である。ＬＣＤ５には、ライブビュー画像および撮影画像などの画像を含む各種の情報が表示される。
【００２８】
また、デジタルカメラ１の背面にはメニューボタン６が設けられており、このメニューボタン６が押下されることによって各種メニュー画面がＬＣＤ５に表示される。さらに、デジタルカメラ１の背面には、ＬＣＤ５における表示カーソルを４方向に移動させるための十字カーソルボタン７Ｕ，７Ｄ，７Ｌ，７Ｒ及び十字カーソルボタンの中央部に設けられる決定ボタン７Ｃで構成されるコントロールボタン７が設けられている。これらメニューボタン６及びコントロールボタン７を用いることによって、各種撮影パラメータの設定操作が行われる。たとえば、ダイレクトマニュアルフォーカスを有効化するか無効化するかなどについての設定操作が行われる。
【００２９】
なお、デジタルカメラ１の背面には上記の他にも拡大ボタン３５ａ等の各種操作ボタンが配置される。
【００３０】
さらに、デジタルカメラ１の側面には、着脱自在な記録媒体であるメモリカード９０の挿入装着部が設けられており、本撮影によって得られる画像データはこの挿入装着部にセットされるメモリカード９０に記録される。
【００３１】
＜内部構成＞
次に、デジタルカメラ１の内部構成について説明する。図４は、デジタルカメラ１の内部機能を示すブロック図である。
【００３２】
撮影レンズ２はレンズ駆動部３１によって駆動され、ＣＣＤ撮像素子１０に結像される像の合焦状態を変化させるように構成される。なお、自動合焦（オートフォーカス）設定時には全体制御部２０において画像から自動的に撮影レンズ２のレンズ駆動量が決定され、このレンズ駆動量に基づいて撮影レンズ２が駆動されるのに対し、手動合焦（マニュアルフォーカス）設定時にはユーザによるフォーカスリング８の操作量（回転量）に応じてレンズ駆動量が決定され、このレンズ駆動量に基づいて撮影レンズ２が駆動される。
【００３３】
ＣＣＤ撮像素子１０は被写体像を撮影して電子的な画像信号を生成する撮像手段として機能するものであり、所定数の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。タイミングジェネレータ３２は、ＣＣＤ撮像素子１０の駆動を制御するための各種のタイミングパルスを生成するものである。
【００３４】
ＣＣＤ撮像素子１０から得られる画像信号は信号処理回路１１に与えられ、信号処理回路１１において画像信号（アナログ信号）に対して所定のアナログ信号処理が施される。信号処理回路１１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００３５】
Ａ／Ｄ変換器１２は、画像信号の各画素信号を１２ビットのデジタル信号に変換するものである。Ａ／Ｄ変換器１２は、全体制御部２０から入力されるＡ／Ｄ変換用のクロックに基づいて各画素信号（アナログ信号）を１２ビットのデジタル信号に変換する。
【００３６】
ＷＢ（ホワイトバランス）回路１３は、Ｒ，Ｇ，Ｂの各色成分のレベル変換を行うものである。ＷＢ回路１３は、全体制御部２０で記憶されるレベル変換テーブルを用いてＲ，Ｇ，Ｂの各色成分のレベルを変換する。なお、レベル変換テーブルの各色成分のパラメータ（特性の傾き）は全体制御部２０により、オートまたはマニュアルで、撮影画像毎に設定される。γ補正回路１４は、画素データの階調を補正するものである。
【００３７】
色補正部１５は、γ補正回路１４から入力される画像データに対し、ユーザから設定された色補正に関するパラメータに基づいて色補正を行うとともに、ＲＧＢ色空間で表現されたカラー情報をＹＣｒＣｂ色空間で表現されたカラー情報に変換する。この表色系変換により、全画素について輝度成分値が得られることになる。
【００３８】
解像度変換部１６は、ＣＣＤ撮像素子１０から得られる画像データに対して所定の解像度変換や、領域の切り出しを行うものである。
【００３９】
なお、自動合焦制御開始前のライブビュー表示時には、解像度変換部１６によって所定の解像度変換が施された画像データ（画像信号）は、全体制御部２０を介して表示制御部３３に与えられ、ＬＣＤ５及びＥＶＦ４に対してライブビュー画像の表示が行われるとともに、測光演算部１８にも与えられ、自動露出（ＡＥ）制御用の評価値が算出される。これに対し、自動合焦制御時には、解像度変換部１６によって所定の解像度変換が施された画像データは、ＡＦ評価値演算部１７に与えられ、自動合焦（ＡＦ）制御用の評価値（「合焦用評価値」ないし「ＡＦ評価値」とも称する）が算出されるとともに、測光演算部１８にも与えられ、自動露出（ＡＥ）制御用の評価値（「ＡＥ評価値」とも称する）が算出される。また、自動合焦制御終了後においては、ダイレクトマニュアルフォーカス操作が行われ、被写体に関するライブビュー画像がＬＣＤ５などに表示される。
【００４０】
ＡＦ評価値演算部１７はユーザによってシャッタボタン９が半押し状態（Ｓ１）とされた場合に機能し、コントラスト方式の自動合焦制御を行うための評価値演算動作が行われる。ここでは、解像度変換部１６から得られるＡＦ評価領域の画像成分に基づいて、水平方向に隣接する２画素間での差分絶対値の総和がＡＦ評価値Ｖｆとして算出される。そしてＡＦ評価値演算部１７において算出されるＡＦ評価値Ｖｆは全体制御部２０へと出力される。全体制御部２０は、このＡＦ評価値Ｖｆを用いて、撮影レンズ２の焦点位置を調整する。
【００４１】
測光演算部１８では、解像度変換部１６から出力される画像データを複数のブロックに分割し、各ブロックの輝度値に基づいてＡＥ評価値Ｖｅを算出する。測光演算部１８において算出されるＡＥ評価値Ｖｅは全体制御部２０へと出力される。全体制御部２０は、このＡＥ評価値Ｖｅに基づいて、露出制御を行う。たとえば、露出モードが絞り優先モードであるときには、操作者がダイアル７０（図２参照）を操作することによって絞りの設定値を決定すると、全体制御部２０及び絞り制御部６１は絞りをその設定値に設定する。また、絞り以外のパラメータ（具体的には、シャッタスピード、ゲイン（感度））を、被写体の露出が適正となるように変更して設定する。
【００４２】
画像メモリ３４は、本撮影時にＣＣＤ撮像素子１０で取得され上記の画像処理が施された画像データを一時的に記憶するメモリである。画像メモリ３４は、少なくとも１フレーム分の記憶容量を有している。そして本撮影後に画像のアフタービュー表示等が行われる場合には、画像メモリ３４から表示制御部３３に画像データが与えられ、撮影画像を確認するための画像表示が行われる。また、ユーザによって記録指示が与えられた場合には、画像メモリ３４からメモリカード９０に対して画像データが転送され、画像データの記録保存が行われる。
【００４３】
カードインタフェース（カードＩ／Ｆ）３７は、デジタルカメラ１側面の挿入装着部に対して装着されるメモリカード９０への画像データの書込み及び読出しを行うためのインタフェースである。メモリカード９０に対する画像データの読み書き時には、圧縮・伸張部３６において例えばＪＰＥＧ方式で画像データの圧縮処理又は伸張処理が行われる。また、外部接続インタフェース（外部接続Ｉ／Ｆ）３８は通信ケーブル等を介して外部コンピュータ９１と通信可能にするためのインタフェースであり、例えばＵＳＢ規格に準拠した通信用インタフェース等で実現される。これらカードＩ／Ｆ３７、外部接続Ｉ／Ｆ３８を介して、メモリカード９０や外部コンピュータ９１にセットされるＣＤ−ＲＯＭ等の記録媒体に記録される制御プログラムを、全体制御部２０のＲＡＭ２０ａ又はＲＯＭ２０ｂ内に取り込むことができる。
【００４４】
操作部３５は、上述したモード切替ダイアル３、メニューボタン６、コントロールボタン７、シャッタボタン９、及び拡大ボタン３５ａ等を含む操作部であり、ユーザがデジタルカメラ１の設定を操作する部材である。
【００４５】
全体制御部２０は内部にＲＡＭ２０ａ及びＲＯＭ２０ｂを備えたマイクロコンピュータによって構成され、マイクロコンピュータが所定の制御プログラムを実行することにより、上記各部を統括的に制御する制御手段として機能する。
【００４６】
＜Ｂ．動作＞
図５は、デジタルカメラ１の撮影動作を示すフローチャートである。次に、この図５を参照しながら、デジタルカメラ１の撮影動作について説明する。
【００４７】
まず、操作者（撮影者）によって電源がオンにされると、ライブビュー画像がＬＣＤ５に表示される。操作者は、このライブビュー表示を見ながら、フレーミング動作を行うことができる。
【００４８】
そして、所望の被写体に関する構図が決定されると、操作者はシャッタボタン９を半押し状態Ｓ１にまで押下する。
【００４９】
デジタルカメラ１は、シャッタボタン９が半押し状態Ｓ１にまで押下されたことを検知すると、自動合焦制御を実行する（ステップＳＰ１）。ここでは、自動合焦制御として、ワンショットＡＦを行うものとする。ワンショットＡＦは、１回の自動合焦制御の開始指示に応答して、１回の合焦動作を行うものである。また、ステップＳＰ１では、より正確なＡＦ動作を行うため、絞りを開放値（あるいは開放値に近い値）に設定し、被写界深度を浅くした状態でＡＦ動作を行うものとする。なお、自動露出（ＡＥ）制御動作は、撮像記録動作終了時点まで随時行われ、被写体の露出状態が適正に維持される。
【００５０】
理想的には、上記の自動合焦制御動作によって、所望の被写体が合焦状態になるはずであるが、遠近競合等のために所望の被写体が合焦状態になっていない場合もある。このデジタルカメラ１は、上述のＤＭＦ動作によって、オートフォーカス制御を行った後のマニュアルフォーカス操作によって合焦状態を修正することができるので、このような事態などを解消することが可能である。
【００５１】
なお、このＤＭＦ動作を有効化するか否かは、たとえば、ＬＣＤ５に表示される所定の設定画面などを用いて予め定めておくことができる。図６は、この設定画面の一例を示す図である。この設定画面Ｇ１は、撮影モードにおいて、メニューボタン６の押下に応じて表示される。この設定画面Ｇ１は、撮影モードに関する様々な設定項目を設定する画面であり、ＤＭＦ動作について、そのＤＭＦを有効化する（ＤＭＦ＝「有り」）項目と、無効化する（ＤＭＦ＝「無し」）項目とを有している。そして、操作者によるコントロールボタン７を用いたカーソルＣＳの移動操作及び項目決定操作に応じて、いずれかの項目が選択される。ここでは、ＤＭＦ動作を有効化するために「有り」の項目を選択するものとするが、ＤＭＦ動作を無効化するために「無し」の項目を選択するようにしてもよい。また、選択結果に対応するパラメータ値がデジタルカメラ１に記憶される。
【００５２】
また、ステップＳＰ１においては、撮影用の露出制御パラメータを決定するための自動露出（ＡＥ）動作も行われる。この実施形態においては、露出制御が「絞り優先モード」で行われるものとする。「絞り優先モード」は、絞りを操作者による指定値に優先的に決定した上で、被写体が適正露光となるようにシャッタスピードおよびゲインを決定する露出制御モードである。具体的には、絞りが操作者による指定値Ａ２（例えば、Ｆ１１．０）に設定されるとともに、露出が適正となるように、シャッタスピードおよびゲインが適宜に設定される。なお、操作者は、シャッタボタン９を半押し状態Ｓ１にする前に、ダイアル７０（図２参照）の操作等によって絞り値を予め指定しておくことができる。
【００５３】
ステップＳＰ１のワンショットＡＦ動作（およびＡＥ動作）が終了すると、ステップＳＰ２に進み、ＤＭＦ動作が有効化されているのか無効化されているのかが、上記の選択結果に対応するパラメータ値に応じて判定される。
【００５４】
ＤＭＦ動作が無効化されていると判定される場合には、ライブビュー画像を随時更新してＬＣＤ５に表示するとともに、シャッタボタン９が全押し状態Ｓ２にされるまで待機する（ステップＳＰ３，ＳＰ４）。この待機期間にＬＣＤ５に表示されるライブビュー画像は、絞りが値Ａ１（ここでは、「開放値」（たとえば、Ｆ２．８））に設定されて撮像された画像である。言い換えれば、この時点でのライブビュー表示は、絞りを開放値の値に設定して撮像された時系列画像が連続的に表示されるものである（図７参照）。なお、絞り以外の露出制御パラメータ（具体的には、シャッタスピードおよびゲイン）は、適正露光となるように適宜決定される。
【００５５】
その後、シャッタボタン９が全押し状態Ｓ２にまで押下されると、露光動作等が行われてＣＣＤにより本撮影画像（静止画像）が取得されるともに、撮影された画像がメモリカード９０に記録される（ステップＳＰ５）。
【００５６】
なお、待機時（ステップＳＰ３，ＳＰ４）における絞りの値Ａ１（例えば、Ｆ２．８）は、一般に本撮影画像撮影時（ステップＳＰ５）の絞りの値Ａ２（例えば、Ｆ１１．０）と異なるため、待機時におけるライブビュー画像（図７参照）は、本撮影画像（図８参照）の状態（特に絞りに応じた撮影効果）を反映したものではない。たとえば、図７と図８とでは、手前側および奥側（後ろ側）の２つの被写体のうち、奥側の被写体のぼけ具合が異なっている。なお、図７および図８はいずれも同一の被写体を撮影した画像である。図７は、絞り値をＦ２．８に設定して撮影された画像であり、図８は、絞り値をＦ１１．０に設定して撮影された画像である。
【００５７】
一方、ＤＭＦ動作が有効化されていると判定される場合には、ステップＳＰ１１に進む。
【００５８】
ステップＳＰ１１では、ステップＳＰ１で決定された撮影用の絞り値Ａ２に基づいて、「絞り優先モード」で露出制御が行われる。具体的には、絞りが撮影用の設定値と同一の値Ａ２に設定されるとともに、露出が適正となるように、シャッタスピードおよびゲインが適宜に設定される。
【００５９】
より詳細には、原則的には、絞りおよびゲインを所定値に固定した上で、シャッタスピードのみを変更して、適正露光となるように制御すればよい。また、ライブビュー画像のリアルタイム性を損なわないようにするため、シャッタスピード（正確には撮像素子での露光時間）に上限値（たとえば、１／３０秒）を設けることが好ましい。被写体が暗いために適正露光とするためのシャッタスピード（正確には撮像素子での露光時間）が長くなりすぎる場合には、シャッタスピードをその上限値に設定した上で、ゲインを大きくして適正露光となるように調整すればよい。
【００６０】
次のステップＳＰ１２では、絞りの再設定操作がなされたか否かが判定される。絞りの再設定操作は、例えばダイアル７０（図２参照）を回転させて絞り値を変更する操作である。再設定操作がなされていない場合にはそのままステップＳＰ１４に進み、再設定操作がなされている場合には、絞りをその再設定後の値Ａ３（たとえば、Ｆ８．０）に変更（ステップＳＰ１３）した後にステップＳＰ１４に進む。
【００６１】
まず、絞りの再設定操作がなされない場合について説明する。この場合、ステップＳＰ１２からステップＳＰ１４に進み、フォーカスリング８が操作者によって移動（回転移動）されたか否かが判定される。そして、フォーカスリング８が移動されていないと判定されるときには、そのままステップＳＰ１６に進む。一方、フォーカスリング８が移動されていると判定されるときには、フォーカスリング８の移動量（回転量）に応じて撮影レンズ２（詳細にはフォーカスレンズ）が移動される（ステップＳＰ１５）。このようなマニュアルフォーカス操作によって、撮影レンズ２の光軸方向における結像位置が移動し、被写体の合焦状態が調整される。
【００６２】
次のステップＳＰ１６では、ライブビュー画像が適宜更新されて表示される。具体的には、ステップＳＰ１１でのパラメータ変更後の絞りの設定値Ａ２で撮像された画像がライブビュー画像としてＬＣＤ５に表示される。
【００６３】
そして、シャッタボタン９が全押し状態Ｓ２にされたか否かを判定し（ステップＳＰ１７）、未だ全押し状態Ｓ２にされていないときにはステップＳＰ１２に戻り、上述の動作が繰り返される。
【００６４】
その後、シャッタボタン９が全押し状態Ｓ２にまで押下されたと判定される（ステップＳＰ１７）と、露光動作等が行われてＣＣＤにより本撮影画像（撮影の目的物たる静止画像）が取得されるとともに、撮影された画像がメモリカード９０に記録される（ステップＳＰ１８）。
【００６５】
ここにおいて、このＤＭＦ動作時（ステップＳＰ１２〜ＳＰ１７）においてＬＣＤ５に表示されるライブビュー画像は、本撮影画像撮影時（ステップＳＰ１８）の絞り値と同一の絞り値Ａ２に設定されて取得された画像である。したがって、このライブビュー画像は、本撮影画像撮影時の絞り値に応じた撮影効果を反映したものとなる。
【００６６】
図７および図８を参照しながらより詳細に説明する。
【００６７】
図７は絞りを開放した状態（図７ではＦ２．８）で取得されるライブビュー画像を示す図であり、図８は絞りを設定値Ａ２（図８ではＦ１１．０）に設定した状態で取得されるライブビュー画像を示す図である。
【００６８】
図７のように絞りを開放した状態（たとえば、Ｆ２．８）では被写界深度が比較的浅いため、その状態で取得されるライブビュー画像において手前側の被写体にピントを合わせると、後ろ側の被写体がぼけた状態となる。
【００６９】
一方、図８のように絞りを絞った状態（たとえば、Ｆ１１．０）では、被写界深度が比較的深くなる。そのため、図８の状態で取得されるライブビュー画像において手前の被写体にピントを合わせたとしても、光軸方向において比較的広い範囲で合焦状態となり、後ろ側の被写体のぼけが比較的少ない状態（あるいは、ぼけていない状態）になる。
【００７０】
ここにおいて、ステップＳＰ１８で取得される本撮影画像は、絞りが設定値Ａ２に設定された状態で撮影されるため、図８のような画像である。
【００７１】
仮に、ＤＭＦ動作時に絞りを開放に設定するとすれば、本撮影画像よりも比較的ぼけが大きい状態の図７のような画像をライブビュー画像として得ることになる。したがって、このライブビュー画像のぼけの程度と本撮影画像におけるぼけの程度とは相違することとなるため、そのような状態で取得されたライブビュー画像によっては本撮影画像におけるぼけ具合を確認することができない。
【００７２】
これに対して、上記の動作によれば、ＤＭＦ動作時（ステップＳＰ１２〜ＳＰ１７）のライブビュー画像は、本撮影画像の撮影時と同じ絞り値Ａ２で取得されるため、図８のような画像として取得される。すなわち、このライブビュー画像は、本撮影画像撮影時の絞り値に応じた撮影効果を反映したものとなる。したがって、ステップＳＰ１６で表示されるライブビュー画像によって、本撮影画像におけるぼけ具合（撮影効果）を確認することができる。
【００７３】
つぎに、ステップＳＰ１２において絞りの再設定操作がなされたと判定される場合について説明する。この場合、この再設定操作によって、本画像撮影時の絞りが新たな値Ａ３に変更されるとともに、ステップＳＰ１３においてライブビュー画像取得用の絞りもその値Ａ３に変更される。また、絞り値の変更に応じて、適正露出となるように、シャッタスピード及び／又はゲインが変更される。
【００７４】
そして、上述のマニュアルフォーカス動作（ステップＳＰ１４，１５）が行われた後、変更後の絞り値Ａ３並びに変更後のシャッタスピード及びゲインで取得されたライブビュー画像が更新表示される（ステップＳＰ１６）。
【００７５】
その後、シャッタボタン９が全押し状態Ｓ２にまで押下されたと判定される（ステップＳＰ１７）と、露光動作等が行われてＣＣＤにより本撮影画像（静止画像）が取得されるとともに、撮影された画像がメモリカード９０に記録される（ステップＳＰ１８）。
【００７６】
この絞りの再設定操作後の本撮影画像は、絞りが新たな値Ａ３に変更されて取得された画像である。すなわち、この絞り値の再設定後のＤＭＦ動作時においてＬＣＤ５に表示されるライブビュー画像は、絞りが本撮影画像撮影時の絞り値と同一の絞り値Ａ３に設定されて取得された画像である。したがって、このライブビュー画像は、本撮影画像撮影時の絞り値に応じた撮影効果を反映したものとなる。
【００７７】
＜Ｃ．変形例＞
上記実施形態においては、ＤＭＦ動作を行う場合には、常に、ＡＦ制御による焦点位置の調整後に絞りを本画像撮影用の設定値Ａ２に設定するモードＭ１で絞り調整を行う場合を例示したが、これに限定されない。
【００７８】
たとえば、このモードＭ１と、ＡＦ制御による焦点位置の調整後に絞りを開放値に設定するモードＭ２と、を含む複数のモードの中から選択されたモードで絞り調整を行うことが可能であるように構成してもよい。
【００７９】
図９は、この変形例に係る動作を示すフローチャートである。以下では、相違点を中心に説明する。
【００８０】
ステップＳＰ１，ＳＰ２は、上述の動作と同様である。その後、ステップＳＰ９において、モードＭ１とモードＭ２とのうちのいずれのモードが選択されているかに関する設定情報に応じて、分岐処理が行われる。いずれのモードを選択するかは、例えば、所定の設定画面Ｇ２（図１０参照）を用いて予め設定される。
【００８１】
モードＭ１が選択されていると判定される場合には、ステップＳＰ１１に進む。ステップＳＰ１１〜ＳＰ１８では、上述と同様の動作が行われる。これによって、ＤＭＦ動作がライブビュー表示を伴って行われ、シャッタボタン９の全押し状態Ｓ２への押下に応答して本撮影画像の取得および記録動作が行われる。
【００８２】
一方、モードＭ２が選択されていると判定される場合には、ステップＳＰ２１に進む。ステップＳＰ２１では、絞りが値Ａ１（たとえば、Ｆ２．８）に設定されるとともに、露出が適正となるように、シャッタスピードおよびゲインが適宜に設定される。なお、ステップＳＰ１よりも前の時点での絞り値が値Ａ１に等しい場合には、引き続き同じ値が絞り値として設定されることになる。
【００８３】
また、モードＭ２におけるステップＳＰ２４〜ＳＰ２８の動作は、モードＭ１におけるステップＳＰ１４〜ＳＰ１８の動作と同様である。端的に言えば、ＤＭＦ動作がライブビュー表示を伴って行われ、シャッタボタン９の全押し状態Ｓ２への押下に応答して本撮影画像の取得および記録動作が行われる。ただし、両モードＭ１，Ｍ２のライブビュー画像は互いに相違する。具体的には、モードＭ１におけるライブビュー画像は、絞り値が本撮影画像撮影時の設定値Ａ２に設定された状態で取得された画像であるのに対して、モードＭ２におけるライブビュー画像は、絞り値が開放値Ａ１に設定された状態で取得された画像である。
【００８４】
以上のようにして、操作者は撮影画像を得ることができる。
【００８５】
この変形例によれば、ＤＭＦ動作のモードとして、モードＭ１とモードＭ２とを切り替えることができる。したがって、操作者は、自己の要求に応じて、ＤＭＦ動作のモードとして、適宜のモードを選択することができる。
【００８６】
より詳細には、モードＭ１では、絞りが本撮影画像の撮影用の設定値に設定されてＤＭＦ動作が行われるので、本撮影画像における被写体のぼけ具合をプレビュー時に確認しやすい。一方、モードＭ２では、絞りが開放値に設定され被写界深度が浅い状態でＭＦ操作が行われるので、より正確なピント合わせが可能になる。したがって、操作者は、被写体のぼけ具合をプレビュー時により確実に確認したい場合にはモードＭ１を採用し、被写体をより正確に合焦状態にしたい場合にはモードＭ２を採用すればよい。
【００８７】
また、上記実施形態においては、露出制御モードとして、「絞り優先モード」を採用する場合について例示したが、これに限定されない。たとえば、露出制御モードとして、「シャッタスピード優先モード」を採用する場合に上記の思想を適用するようにしてもよい。なお、「シャッタスピード優先モード」は、シャッタスピードを操作者による指定値に優先的に決定した上で、被写体が適正露光となるように絞りおよびゲインを決定する露出制御モードである。
【００８８】
具体的には、ステップＳＰ１１，ＳＰ１３の露出制御パラメータ（絞り、シャッタスピード、ゲイン）の設定において、この露出制御パラメータを、自動露出（ＡＥ）処理によって撮影用の設定値として決定された値に設定すればよい。これによれば、ＤＭＦ時に本撮影画像と同様の撮影効果が反映されたライブビュー画像を確認することが可能になる。
【００８９】
さらに、上記実施形態においては、ＣＣＤ１０により撮像された画像内の合焦状態評価領域についての合焦用評価値を用いたＡＦ動作（より詳細には、いわゆる山登り法）によるＡＦ動作を行う場合について例示したが、これに限定されない。たとえば、種々のパッシブ方式あるいはアクティブ方式のＡＦ動作等を行っても良い。
【図面の簡単な説明】
【００９０】
【図１】デジタルカメラの外観構成を示す正面図である。
【図２】デジタルカメラの外観構成を示す上面図である。
【図３】デジタルカメラの外観構成を示す背面図である。
【図４】デジタルカメラの内部機能を示すブロック図である。
【図５】デジタルカメラの撮影動作を示すフローチャートである。
【図６】ＤＭＦ動作等に関する設定画面の一例を示す図である。
【図７】絞りを開放した状態で取得されるライブビュー画像を示す図である。
【図８】絞りを撮影時の設定値に設定した状態で取得されるライブビュー画像を示す図である。
【図９】変形例に係る撮影動作を示すフローチャートである。
【図１０】ＤＭＦ動作等に関する設定画面の別の一例を示す図である。
【符号の説明】
【００９１】
１  デジタルカメラ
２  撮影レンズ
４  電子ビューファインダ（ＥＶＦ）
５  液晶ディスプレイ（ＬＣＤ）
６  メニューボタン
７  コントロールボタン
８  フォーカスリング
９  シャッタボタン
１０  撮像素子
７０  ダイアル
Ｇ１，Ｇ２  設定画面
【図１】
2005184657.tif 000003
【図２】
2005184657.tif 000004
【図３】
2005184657.tif 000005
【図４】
2005184657.tif 000006
【図５】
2005184657.tif 000007
【図６】
2005184657.tif 000008
【図７】
2005184657.tif 000009
【図８】
2005184657.tif 000010
【図９】
2005184657.tif 000011
【図１０】
2005184657.tif 000012